(57)【要約】      （修正有）【課題】疾患者等の咄嗟の使用が容易に行うことができ口腔内リシイング後の吐液処理も一連の動作・操作にて簡単に処理することができ、常時の携帯、処理の後の携行をも衛生的、簡単に遂行でき、量産に適し、安価に実用性に富む口腔内リンシング用の携帯用洗口キットを提供する。【解決手段】洗口後の洗口液を吐下するカップ状のキット本体２に吐下時の口元を隠すフラップ４を設けると共にキット本体の内側に吸湿性高分子等の吸湿剤５ａを内装するか、吸湿性シートを張設して吐液処理部５を設け、フラップをキット本体の内側に折り込んだ状態にて携行するかあるいはキット本体を二つ折りしつつ携行するとともにキット本体のフラップ４を折り起こした後、フラップにて口元を隠しつつ洗口後の吐下液をキット本体内に吐下し、キット本体内に内装する吸湿剤あるいは吸湿剤シートにより吸湿処理し、再度フラップをキット本体の内側に折り込むことができる構成とする。【選択図】図１
2014030518.tif 000002
【特許請求の範囲】
【請求項１】
洗口後の洗口液を吐下するカップ状のキット本体に吐下時の口元を隠すフラップを設けるとともに前記キット本体の内側に吸湿性高分子（ポリマ）等の吸湿剤を内装するか、あるいは吸湿性シートを張設して吐液処理部を設け、前記フラップを前記キット本体の内側に折り込んだ後、携行するとともに、前記フラップを折り起こした後、当該フラップにて口元を隠しつつ洗口後の吐下液をキット本体内に吐下し、キット本体内に内装する前記吸湿剤あるいは吸湿剤シートにより吸湿処理し、再度前記フラップをキット本体の内側に折り込むことにより洗口を完了することができるように構成したことを特徴とする携帯用洗口キット。
【請求項２】
洗口後の洗口液を吐下するカップ状のキット本体に吐下時の口元を隠すフラップを設けるとともに前記キット本体の内側に吸湿性高分子（ポリマ）等の吸湿剤を内装するか、あるいは吸湿性シートを張設して吐液処理部を設け、前記フラップを前記キット本体の内側に折り込んだ後、当該キット本体を二つ折りしつつ携行するとともに二つ折りのキット本体を折り戻し、フラップを折り起こした後、当該フラップにて口元を隠しつつ洗口後の吐下液をキット本体内に吐下し、キット本体内に内装する前記吸湿剤あるいは吸湿剤シートにより吸湿処理し、再度前記フラップをキット本体の内側に折り込んだ後、キット本体を二つ折りして洗口を完了することができるように構成したことを特徴とする携帯用洗口キット。
【請求項３】
前記キット本体の開口部に、当該開口部を密閉するための接着用テープを設けることにより構成したことを特徴とする請求項１または２記載の携帯用洗口キット。
【請求項４】
カップ状のキット本体の内側に吐下液処理部を設けるとともに開口部にシール手段を設け、さらに前記キット本体に洗口剤を充填した洗口剤の袋体を添設することにより構成したことを特徴とする携帯用洗口キット。
【請求項５】
前記吐下液処理部は、前記キット本体の内側に吸湿性高分子等の吸湿剤を内装するか、あるいはキット本体の内側に吸湿性シートを張設することにより構成したことを特徴とする請求項４記載の携帯用洗口キット。
【請求項６】
前記キット本体の開口部のシール手段は、キット本体の開口部に設けたジップロック（登録商標）または粘着テープにて構成したことを特徴する請求項４または５記載の携帯用洗口キット。
【請求項７】
前記キット本体に添設した洗口剤袋体は、前記キット本体に連設する洗口剤を充填した洗口剤袋体により構成したことを特徴とする請求項４〜６記載の携帯用洗口キット。
【発明の詳細な説明】
【技術分野】
【０００１】
本発明は、疾患者の口腔内リンシング用、あるいはエチテット用として手軽に使用することができるとともに携行に便利な携帯用洗口キットに関するものである。
【背景技術】
【０００２】
近時は、外出先あるいは旅行先等の随意のうがいを目的とした携帯用紙コップ付きうがい薬等が提案されている。
【０００３】
例えば、登録実用新案第３０２４６４３号公報（特許文献１）は、人々の健康管理のため帰社時や帰宅時にうがいをするのは勿論のこと、外出先でも簡単に清潔なうがいが行えるように携帯紙コップ付きうがい薬を提供する目的をもち、紙コップは１枚の防水加工した紙をかき混ぜやすくする為に下部が少し細くなるように折り畳み、水や容液が漏れにくいようにプレス加工を施して袋状にしたものであるとともに上部には、切り取りやすいようにミシン目が入っており、中部には水を注入する際の目盛が書いてあり、更にその袋状の紙コップの中にうがい薬をかき混ぜるかき混ぜ棒が入っているものである。
【０００４】
又、この特許文献１とは別に、薬液によるうがい行為と、その吐液処理が同時かつ衛生的に行えることを可能にした携帯用うがいパウチ容器が特開２０１１−１３９７５９号公報（特許文献２）により提案されている。
【０００５】
そして、かかるパウチ容器は、容器室を上下に分断する位置に指の力程度で解放が可能な遮蔽部を設け、スパウトに直結する上部を薬液室、下部を吐液処理室として分離する、薬液室にうがい薬などのうがい溶液が注入され、吐液処理室には吸水性高分子あるいは不織布あるいはそれらに殺菌成分などを付加し、うがい行為後の吐液を保存・保持する吐液吸収物質を封入してある。
【０００６】
遮蔽部は、付属する先端が注針状のストローなどで容易に破断貫通が可能な隔膜状の薄いシートの設置、あるいは該パウチ容器を剥離可能なヒートシール処理、あるいは封止クリップ等の器具を装着するなどで遮蔽する構成のものである。
【先行技術文献】
【特許文献】
【０００７】
【特許文献１】登録実用新案第３０２４６４３号公報
【特許文献２】特開２０１１−１３９７５９号公報
【発明の概要】
【発明が解決しようとする課題】
【０００８】
前記特許文献１のような携帯用紙コップの場合には、これを使用する際に必ずうがい用の水等が必要となり、疾患者や咄嗟の口腔用リンシングには不向きであるとともに、うがい後の処理を環境的、衛生的に処理しづらい欠点を有するものである。
【０００９】
他方、特許文献２のパウチ容器にあっては、前記携帯用紙コップにおける前記問題点を解消し得るが反面、容器がかさばり携行に不便な欠点を有するとともに、使用に際しての使用方法に即座のうがいや、うがい後の吐液処理方法にも手間がかかり、使用方法に難点を有するものである。
しかも、構成が複雑で量産性には不向きであるとともに安価な提供ができない欠点があり、実用化に難点を有するものである。
【００１０】
因って、本発明は前記従来題案されて、あまり実用化に至っていない実情に鑑みて疾患者等の咄嗟の使用が容易に行うことができるとともに口腔内リンシング後の吐液処理も一連の動作・操作にて簡単に処理することができ、しかも常時の携帯、処理後の携行を衛生的に簡単に遂行でき、さらには量産に適し安価に実用性に富んだ口腔内リンシング用の携帯用洗口キットの提供を目的とするものである。
【課題を解決するための手段】
【００１１】
（追加）
本発明の請求項１の発明は、前記目的を達成するために、洗口後の洗口液を吐下するカップ状のキット本体に吐下時の口元を隠すフラップを設けるとともに前記キット本体の内側に吸湿性高分子（ポリマ）等の吸湿剤を内装するか、あるいは吸湿性シートを張設して吐液処理部を設け、前記フラップを前記キット本体の内側に折り込んだ後、携行するとともに、前記フラップを折り起こした後、当該フラップにて口元を隠しつつ洗口後の吐下液をキット本体内に吐下し、キット本体内に内装する前記吸湿剤あるいは吸湿剤シートにより吸湿処理し、再度前記フラップをキット本体の内側に折り込むことにより洗口を完了することができるように構成したことを特徴とする。
【００１２】
そして請求項２の発明は、洗口後の洗口液を吐下するカップ状のキット体２に吐下時の口元を隠すフラップを設けるとともに前記キット本体の内側に吸湿性高分子（ポリマ）等の吸湿剤を内装するか、あるいは吸湿性シートを張設して、吐液処理部を設け、前記フラップを前記キット本体の内側に折り込んだ後、当該キット本体を二つ折りしつつ携行するとともに二つ折りのキット本体を折り戻し、フラップを折り起こした後、当該フラップにて口元を隠しつつ洗口後の吐下液をキット本体内に吐下し、キット本体内に内装する前記吸湿剤あるいは吸湿剤シートにより吸湿処理し、再度前記フラップをキット本体の内側に折り込んだ後、キット本体を二つ折りして、洗口を完了することができるように構成したことを特徴とする。
【００１３】
又、請求項３の発明は、請求項１または２の発明において、前記キット本体の開口部に、当該開口部を密閉するための接着用テープを設けることにより構成したことを特徴とする。
【００１４】
さらに、請求項４の発明は、カップ状のキット本体の内側に吐下液処理部を設けるとともに開口部にシール手段を設け、さらに前記キット本体に洗口剤を充填した洗口剤の袋体を添設することにより構成したことを特徴とする。
【００１５】
そして、請求項５の発明は、請求項４の発明において、前記吐下液処理部は、前記キット本体の内側に吸湿性高分子等の吸湿剤を内装するか、あるいはキット本体の内側に吸湿性シートを張設することにより構成したことを特徴とする。
【００１６】
そして、請求項６の発明は、請求項４または５の発明において、前記キット本体の開口部のシール手段は、キット本体の開口部に設けたジップロック（登録商標）または粘着テープにて構成したことを特徴する。
【００１７】
そして、請求項７の発明は、請求項４〜６の発明において、前記キット本体に添設した洗口剤袋体は、前記キット本体に連設する洗口剤を充填した洗口剤袋体により構成したことを特徴とする。
【発明の効果】
【００１８】
本発明によれば，疾患者の咄嗟の使用が容易に行うことができるとともに口腔内リンシング後の吐液処理も一連の動作・操作にて簡単に処理することができ、しかも常時の携帯、処理後の携行をも衛生的、簡単に遂行でき、更には、量産に適し、安価に実用性に富んだ口腔内リンシング用の携帯用洗口キットを提供することができる。
【図面の簡単な説明】
【００１９】
【図１】本発明の実施例１を示す携帯用洗口キットの斜視図
【図２】本発明の実施例１を示す携帯用洗口キットの折り畳み状態を示す説明図
【図３】本発明の実施例２を示す携帯用洗口キットの斜視図
【図４】本発明の実施例２を示す携帯用洗口キットの折り畳み状態を示す説明図
【図５】本発明の実施例３を示す携帯用洗口キットの正面図
【図６】本発明の実施例３を示す携帯用洗口キットの使用状態を示す説明図
【図７】本発明の実施例３を示す携帯用洗口キットの使用状態を示す説明図
【符号の説明】
【００２０】
１      実施例１の携帯用洗口キット
２      キット本体
３      上辺部
４      フラップ
５      吐液の処理部
６      開口部
６ａ    開口縁
７      粘着テープ
８      折り目
１０    実施例３の携帯用洗口キット
１１    袋体
１２    洗口剤
１３    口部
１３ａ  切り欠部
２０    実施例２の携帯用洗口キット
【発明を実施するための形態】
【００２１】
洗口後の洗口液を吐下するカップ状のキット本体に吐下時の口元を隠すフラップを設けるとともに前記キット本体の内側に吸湿性高分子（ポリマ）等の吸湿剤を内装するか、あるいは吸湿性シートを張設して、吐液処理部を設け、前記フラップを、前記キット本体の内側に折り込んだ状態にて携行することができるように構成した携帯用洗口キット。
【００２２】
又、カップ状のキット本体の内側に吐下液処理部を設けるとともに開口部にシール手段を設け、さらに前記キット本体に洗口剤を充填した洗口剤の袋体を添設することにより構成したことを特徴とする携帯用洗口キット。
【００２３】
さらに、洗口後の洗口液を吐下するカップ状のキット本体に吐下時の口元を隠すフラップを設けるとともに前記キット本体の内側に吸湿性高分子（ポリマ）等の吸湿剤を内装するか、あるいは吸湿性シートを張設して吐液処理部を設け、前記フラップを前記キット本体の内側に折り込んだ後、当該キット本体を二つ折りしつつ携行するとともに二つ折りのキット本体を折り戻し、フラップを折り起こした後、当該フラップにて口元を隠しつつ洗口後の吐下液をキット本体内に吐下し、キット本体内に内装する前記吸湿剤あるいは吸湿剤シートにより吸湿処理し、再度前記フラップをキット本体の内側に折り込んだ後、キット本体を二つ折りして洗口を完了することができるように構成した携帯用洗口キット。
【実施例１】
【００２４】
図１，２は、本発明の実施例１の携帯用洗口キットを示すもので、図１は携帯用洗口キットの斜視図、図２は折り畳み状態を示す説明図である。
【００２５】
図１において、１は本発明実施例１の携帯用洗口キットを示し、当該携行用洗口キット１は、カップ状に拡開自在に形成した口腔内を洗口後の吐液を吐下するためのキット本体２とこのキット本体２の上辺部３には、吐下時に、口元を隠すことのできるフラップ４を折り畳み自在に設けることにより、防水性を有するシート材料により一体形成してある。
【００２６】
又、前記キット本体２内には、洗口後吐下される吐液を吸湿処理することのできる吸湿性高分子（ポリマ）５ａを内装することにより、吐液の処理部５を形成してある。
尚、この吐液の処理部５は、前記キット本体２の内側に吸湿性シート（図示せず）を張設することにより形成することが可能である。
【００２７】
そして、前記キット本体２の開口部６の開口縁６ａには、シール手段としての粘着テープ７（着脱自在但し接着あるいは剥離が自在にできるもの）を張設する。
【００２８】
又、このキット本体２の開口部６のシール手段としては前記粘着テープ７に換えて、着脱自在な、ジップロック（図示しない）を設けることにより実施することができる。
【００２９】
以上の構成から成る本実施例１の携帯用洗口キット１は、図２に示す如く、キット本体１の内側にフラップ４を折り込み、平坦に折り畳み、図２の状態にて携行することが出来る。
【００３０】
従って、同状態下の本実施例１の携帯用洗口キット１の使用に当たっては、図２の携帯用洗口キット１の内側のフラップ４を外側に折り起こしつつキット本体２の開口部６を拡開した状態（図１）にて、手に保持する。
【００３１】
しかる後、口腔内を漱いた後の口腔内の処理液を、フラップ４にて口元を隠しながらキット本体２内に吐下する。
【００３２】
吐下された吐下液は、処理部５の処理剤５ａにて吸湿処理することができるので、再度前記フラップ４をキット本体２の内側に折り込み、キット本体２の開口部６を、シール手段としての粘着テープ７にて密閉し、口腔内リンシング後の処理を完了することができ、前記構成の携帯用洗口キット１自体を一般ゴミとして処理することのできる資材にて形成した場合には、これを一般ゴミとして、即座に処分することができ、それ以外には図２の状態にて携行後廃棄する。
【実施例２】
【００３３】
図３，４は本発明の実施例２の携帯用洗口キットを示すもので、図３は携帯用洗口キットの斜視図、図４（ａ）、（ｂ）は折り畳み状態を示す説明図である。
【００３４】
そして図３に示す如く本実施例２の携帯用洗口キット２０は、前記実施例１の携帯用洗口キット１のキット本体２に折り目８を設け、当該折り目８を介してキット本体２を二つ折りに折り畳むことができるように構成したものである。
【００３５】
従って、その他の構成は前記実施例１の携帯用洗口キット１と同一の構成からなるもので、その具体的な説明を省略し、図３，４（ａ）、（ｂ）については実施例１と同一番号を付して示すものである。
【００３６】
そこで以上の構成から成る実施例２の携帯用洗口キット２０を使用する場合には、図４（ａ）に示す、実施例１の携帯用洗口キット１の折り畳み状態において、キット本体２に設けた折り目８を介して図４（ｂ）に示す如く、キット本体２を二つ折りに折り畳むことができ、小型コンパクト化することができるものである。
【００３７】
従って、かかる図４（ｂ）の折り畳み状態にて携行するとともに必要の際には図４（ｂ）の折り畳み状態より図４（ａ）の折り畳み状態に折り返した後、さらに前記実施例１の携帯用洗口キット１と同様の方法にて口腔内リンシング後の口腔内の処理液をキット本体２内に吐下し、同処理液の処理を完了することができるものである。
【００３８】
尚、実施例２の携帯用洗口キット２０の場合には、図４（ｂ）の折り畳み状態にて携行することができるとともに口腔内リンシング後の処理液を吐下した後の廃棄あるいは廃棄のための携行に当たっても図４（ｂ）の折り畳み状態にて遂行できる。
【実施例３】
【００３９】
図５〜７は、実施例３の携帯用洗口キットを示すもので図５は正面図、図６，７は使用状態を示す説明図である。
【００４０】
図５において１０は本実施例３の携帯用洗口キットで、この携帯用洗口キット１０は、キット本体２の側部２ａに洗口剤１２を充填した洗口剤１２の袋体１１を切り離し自在に添設することにより構成したものである。
【００４１】
そして、この洗口剤１２の袋体１１は、上部に洗口剤１２を吸引するための口部１３を設けることにより形成してある。
又、口部１３には、開封用の切り欠部１３ａを備えている。
【００４２】
さらに、キット本体２については、実施例１または２における携帯用洗口キット１のキット本体２におけるフラップ４を具備しない構成のもので、その他は同一の構成を具備し、同一番号を付し説明は省略する。
尚、図示の実施例の場合には、フラップ４を省略したが、これを具備する実施も勿論可能である。
【００４３】
さて、以上の構成からなる本実施例３の携帯用洗口キット１０の使用に際しては、図６に示す如く、キット本体２より、袋体１１を切り離しつつ袋体１１の口部１３を、切り欠部１３ａを介して開封し、これを口に加えて、袋体１１内の洗口剤１２を吸引し、口腔内のリンシング（漱ぎ）を行う。
【００４４】
そして、口腔内のリンシング時には図７に示す如くキット本体２を実施例１と同様に開口部６を拡開した後、当該キット本体２内に口腔内リンシング後の吐液を吐下する。
吐下した吐液は、キット本体２の処理部５にて吸湿処理することができ、実施例１の場合と同様にキット本体２の開口部６をシール手段としての粘着テープ７にて密閉し、一般ゴミとして処理するか、携行して所要の廃棄を行うものである。
【００４５】
尚、本実施例３の携帯用洗口キット１０においても、実施例１または２と同様の実施が可能である。
【図１】
2014030518.tif 000003
【図２】
2014030518.tif 000004
【図３】
2014030518.tif 000005
【図４】
2014030518.tif 000006
【図５】
2014030518.tif 000007
【図６】
2014030518.tif 000008
【図７】
2014030518.tif 000009